(57)【要約】【課題】組み付け工数を低減し、製造コストの低減を図ることのできる自動販売機を提供する。【解決手段】ロック機構３０を、軸部３１ａの一端側に操作部３１ｂを有し、他端側に係合部３１ｃを有するロックレバー３１と、ロックレバー３１の軸部３１ａを回転自在に下部側内扉１６に支持するための軸支持部３２ａとロックレバー３１と下部側内扉１６との間に位置する受部３２ｂとを有し、軸支持部３２ａ及び受部３２ｂが変形可能な部材によって一体に形成された支持部材３２と、自動販売機本体１０に設けられ、ロックレバー３１の係合部３１ｃが係合可能な係止孔３３とから構成したので、支持部材３２を折り曲げ部３２ｄにおいて折り曲げてロックレバー３１の軸部３１ａを軸支持部３２ａと受部３２ｄとの間に挟んだ状態とすることにより、ロックレバー３１、軸支持部３２ａ及び受部３２ｂを一部材として取り扱うことができる。【選択図】図５
2010073106.tif 000002
【特許請求の範囲】
【請求項１】
前面が開口された自動販売機本体と、自動販売機本体内に設けられ、販売する商品を収納する商品収納庫と、商品収納庫の前面開口を開閉自在に覆う内扉と、内扉による商品収納庫の前面開口の閉塞状態を保持するロック機構とを備えた自動販売機において、
前記ロック機構を、軸部の一端側に操作部を有し、他端側に係合部を有するロックレバーと、ロックレバーの軸部を回転自在に内扉に支持する軸支持部とロックレバーと内扉との間に位置する受部とを有し、軸支持部及び受部が変形可能な部材によって一体に形成され、軸支持部及び受部によってロックレバーの軸部を挟んだ状態を保持可能な支持部材と、自動販売機本体に設けられ、ロックレバーの係合部が係合可能な係止部とから構成した
ことを特徴とする自動販売機。
【請求項２】
前記支持部材を、折り曲げることによってロックレバーの軸部を軸支持部と受部との間に挟んだ状態が保持されるように、塑性変形可能な部材から形成した
ことを特徴とする請求項１記載の自動販売機。
【請求項３】
前記支持部材に、軸支持部と受部との間をスリット状に切り抜くことにより折り曲げ部を設けた
ことを特徴とする請求項２記載の自動販売機。
【請求項４】
前記支持部材を、弾性変形可能な部材から形成した
ことを特徴とする請求項１記載の自動販売機。
【発明の詳細な説明】
【技術分野】
【０００１】
本発明は、販売する商品が収納される商品収納庫の前面開口部を開閉自在に覆う内扉を備えた自動販売機に関するものである。
【背景技術】
【０００２】
従来、この種の自動販売機としては、前面が開口された自動販売機本体と、自動販売機本体内に設けられ、販売する商品を収納するための商品収納庫と、商品収納庫の前面開口を開閉自在に覆うための内扉と、内扉による商品収納庫の前面開口の閉塞状態を保持するためのロック機構とを備えたものが知られている（例えば、特許文献１参照）。
【０００３】
前記ロック機構は、軸部の一端側に操作部を有し、他端側に係合部を有するロックレバーと、ロックレバーの軸部を回転自在に内扉に支持するための軸支持板と、自動販売機本体に設けられ、ロックレバーの係合部が係合することによって商品収納庫の前面開口を内扉によって閉塞した状態とする係止部とから構成されている。この場合、ロックレバーの操作が繰り返されることによって、内扉のロックレバーの軸部が接触する部分が傷ついたり、変形したりするという問題がある。
【０００４】
そこで、内扉のロックレバーの軸部が接触する部分の傷つきや変形を防止するために、ロックレバーの軸部と内扉との間に、板状の受板を設けるようにしたものが知られている。
【特許文献１】特開平１０−７９０８０号公報
【発明の開示】
【発明が解決しようとする課題】
【０００５】
しかしながら、受板を有するロック機構を備えた自動販売機では、受板の分の部品点数が増加するとともに、受板を取り付けるための組み付け工数が増加するため、製造コストが高くなる。
【０００６】
本発明の目的とするところは、組み付け工数を低減し、製造コストの低減を図ることのできる自動販売機を提供することにある。
【課題を解決するための手段】
【０００７】
本発明は前記目的を達成するために、前面が開口された自動販売機本体と、自動販売機本体内に設けられ、販売する商品を収納する商品収納庫と、商品収納庫の前面開口を開閉自在に覆う内扉と、内扉による商品収納庫の前面開口の閉塞状態を保持するロック機構とを備えた自動販売機において、前記ロック機構を、軸部の一端側に操作部を有し、他端側に係合部を有するロックレバーと、ロックレバーの軸部を回転自在に内扉に支持する軸支持部とロックレバーと内扉との間に位置する受部とを有し、軸支持部及び受部が変形可能な部材によって一体に形成され、軸支持部及び受部によってロックレバーの軸部を挟んだ状態を保持可能な支持部材と、自動販売機本体に設けられ、ロックレバーの係合部が係合可能な係止部とから構成している。
【０００８】
これにより、ロックレバーの軸部が軸支持部と受部との間に挟んだ状態となることから、ロックレバー、軸支持部及び受部を一部材として取り扱うことが可能となる。
【発明の効果】
【０００９】
本発明によれば、ロックレバーの軸部を軸支持部と受部との間に挟んだ状態とすることにより、従来、別部材として組み付けられていた、ロックレバー、軸支持部及び受部を一部材として取り扱うことができるので、組み付け工数を低減することにより製造コストの低減を図ることが可能となる。
【発明を実施するための最良の形態】
【００１０】
図１乃至図５は本発明の一実施形態を示すもので、図１は外扉、上部側内扉及び下部側内扉を開放した状態の自動販売機の全体斜視図、図２はロック機構を示す自動販売機の要部斜視図、図３はロックレバーと支持部材を組み付ける方法を示す斜視図、図４はロックレバーと支持部材を組み付ける方法を示す斜視図、図５は下部側内扉に一体に組み付けられたロックレバーと支持部材を取り付ける方法を示す斜視図である。
【００１１】
この自動販売機は、前面側が開口された自動販売機本体１０と、自動販売機本体１０の前面開口を開閉する外扉２０とを備え、外扉２０の幅方向一端側が自動販売機本体１０の前面側の幅方向一端側に回転自在に支持されている。
【００１２】
自動販売機本体１０の内部には、上面側、底面側、背面側及び左右両側面側が断熱壁によって囲まれた商品収納庫１１が設けられ、商品収納庫１１は断熱性の仕切板１２によって幅方向に仕切られている。仕切板１２によって仕切られた商品収納庫１１内には、販売する商品が蛇行状の商品通路に収納される周知のサーペンタイン式の商品収納コラム１３が前後方向及び幅方向に複数設けられている。また、商品収納庫１１の下部には、各商品収納コラム１３から落下搬出された商品を前方に案内するための傾斜板１４が前方に向かって下り傾斜を成すように設けられている。
【００１３】
商品収納庫１１の前面には、それぞれ断熱性を有し、商品収納庫１１の前面上部側を開閉するための上部側内扉１５と、商品収納庫１１の前面下部側を開閉するための下部側内扉１６とが設けられている。また、下部側内扉１６の下部には、商品収納庫１６側と外扉２０側とを連通する商品搬出口１６ａが左右方向に並ぶように複数設けられている。各商品搬出口１６ａには、上部に商品搬出口１６ａを開閉するための搬出扉１６ｂが回転自在に支持されており、傾斜板１４によって前方に案内される商品に押されることにより前方に回転して商品搬出口１６ａを開放し、商品を商品取出口２１に搬出するようになっている。
【００１４】
上部側内扉１５は、外扉２０の背面側に取り付けられており、外扉２０を開閉することにより、上部側内扉１５によって商品収納庫１１の前面上部が開閉されるようになっている。
【００１５】
また、下部側内扉１６は幅方向一端側が自動販売機本体１０の幅方向一端側に回転自在に支持されており、下部側内扉１６の幅方向他端側には、下部側内扉１６による商品収納庫１１の前面開口の下部側の閉塞状態を保持するロック機構３０を有している。
【００１６】
ロック機構３０は、下部側内扉１６側に設けられたロックレバー３１と、ロックレバー３１を操作可能に支持するための支持部材３２と、自動販売機本体１０側に設けられ、ロックレバー３１が係合することによって商品収納庫１１の前面開口の下部側を下部側内扉１６によって閉塞した状態とするための係止部としての係止孔３３とを有している。
【００１７】
ロックレバー３１は、金属製の棒状部材からなり、軸部３１ａと、軸部３１ａの一端側から軸部３１ａの中心軸に対して垂直に延びるように設けられ、ロックレバー３１を操作するための操作部３１ｂと、軸部３１ａの他端側から軸部３１ａの中心軸に対して垂直に延びるように設けられ、係止孔３３に係合可能な係合部３１ｃとを有している。
【００１８】
支持部材３２は、塑性変形可能な金属製の板状部材からなり、ロックレバー３１の軸部３１ａを回転自在に、且つ、軸部３１ａの中心軸方向に移動自在に支持するための軸支持部３２ａと、下部側内扉１６とロックレバー３１との間に位置するように設けられた受部３２ｂと、受部３２ｂの下側から前方に延びるように設けられ、下部側内扉１６による商品収納庫１１の前面開口の下部側の閉塞状態を保持する際に、ロックレバー３１の幅方向の位置ずれを防止するためのストッパ部３２ｃとを有している。
【００１９】
また、支持部材３２は、軸支持部３２ａと受部３２ｂがスリット状に切り抜くことにより設けられた折り曲げ部３２ｄを介して隣り合うように形成されている。支持部材３２は、折り曲げ部３２ｄにおいて支持部材３２を折り曲げることにより、軸支持部３２ａと受部３２ｂとの間にロックレバー３１の軸部３１ａを挟んだ状態とすることが可能となる。また、軸支持部３２ａ及び受部３２ｂには、折り曲げ部３２ｄを折り曲げて軸支持部３２ａと受部３２ｂとを重ねた状態でネジ３４を挿通可能なネジ孔３２ｅがそれぞれ設けられ、ネジ孔３２ｅを介してネジ３４を下部側内扉１６のネジ孔１６ｃに螺合することによりロックレバー３１が下部側内扉１６に取り付けられるようになっている。
【００２０】
係止孔３３は、ロックレバー３１の係合部３１ｃが挿入可能なように自動販売機本体１０の側壁の内面側に設けられている。また、係止孔３３には、係合部３１ｃが挿入された状態でロックレバー３１を下方に回転操作することにより、係合部３１ｃが係合し、下部側内扉１６による商品収納庫１１の前面開口の下部側の閉塞状態を保持するようになっている。
【００２１】
以上のように構成された自動販売機において、ロックレバー３１が幅方向内側に位置する状態で下部側内扉１６を閉鎖した後、ロックレバー３１の操作部３１ｂを上方に持ち上げる方向に回転させてロックレバー３１を幅方向外側にスライドさせて係合部３１ｃを係止孔３３に挿入し、操作部３１ｂを下方に降ろす方向に回転させることにより、ロック機構３０によって下部側内扉１６による商品収納庫１１の前面開口の下部側の閉塞状態を保持することが可能となる。
【００２２】
また、ロック機構３０のロックレバー３１と支持部材３２は、支持部材３２を折り曲げ部３２ｄにおいて折り曲げてロックレバー３１の軸部３１ａを軸支持部３２ａと受部３２ｂとの間に挟んだ状態とすることにより、一部材として取り扱うことができる。また、折り曲げ部３２ｄは、支持部材３２軸支持部３２ａと受部３２ｂとの間をスリット状に切り抜くことにより設けられているため、折り曲げる力が折り曲げ部３２ｄに集中し、支持部材３２が折り曲げ部３２ｄにおいて簡単に折り曲げられる。
【００２３】
このように、本実施形態の自動販売機よれば、ロック機構３０を、軸部３１ａの一端側に操作部３１ｂを有し、他端側に係合部３１ｃを有するロックレバー３１と、ロックレバー３１の軸部３１ａを回転自在に下部側内扉１６に支持するための軸支持部３２ａとロックレバー３１と下部側内扉１６との間に位置する受部３２ｂとを有し、軸支持部３２ａ及び受部３２ｂが変形可能な部材によって一体に形成された支持部材３２と、自動販売機本体１０に設けられ、ロックレバー３１の係合部３１ｃが係合可能な係止孔３３とから構成したので、支持部材３２を折り曲げ部３２ｄにおいて折り曲げてロックレバー３１の軸部３１ａを軸支持部３２ａと受部３２ｂとの間に挟んだ状態とすることにより、ロックレバー３１、軸支持部３２ａ及び受部３２ｂを一部材として取り扱うことができ、組み付け工数を低減することにより製造コストの低減を図ることが可能となる。
【００２４】
また、支持部材３２を、折り曲げることによってロックレバー３１の軸部３１ａを軸支持部３２ａと受部３２ｄとの間に挟んだ状態が保持されるように、塑性変形可能な部材から形成したので、支持部材３２を折り曲げることにより簡単にロックレバー３１と支持部材３２とを組み付けることができ、製造コストの低減を図ることが可能となる。
【００２５】
また、支持部材３２に、軸支持部３２ａと受部３２ｂとの間をスリット状に切り抜くことにより折り曲げ部３２ｄを設けたので、支持部材３２に折り曲げる力を加えることにより折り曲げ部３２ｄに応力が集中することから、支持部材３２を確実に折り曲げ部３２ｄにおいて折り曲げることができ、ロックレバー３１と支持部材３２との組み付けを容易に行うことが可能となる。
【００２６】
図６及び図７は本発明の他の実施形態を示すもので、図６はロックレバー及び支持部材の斜視図、図７はロックレバーと支持部材を組み付ける方法を示す斜視図である。
【００２７】
この自動販売機のロック機構３０の支持部材３５は、弾性変形可能な金属製の板状部材からなり、ロックレバー３１ａの軸部３１ａを回転自在に、且つ軸部３１ａの中心軸方向に移動自在に支持するための軸支持部３５ａと、下部側内扉１６とロックレバー３１との間に位置するように設けられた受部３５ｂと、受部３５ｂの下側から前方に延びるように設けられ、下部側内扉１６による商品収納庫１１の前面開口の下部側の閉塞状態を保持する際に、ロックレバー３１の幅方向の位置ずれを防止するためのストッパ部３５ｃとを有している。
【００２８】
また、支持部材３５は、屈曲部３５ｄを介して軸支持部３５ａと受部３５ｂが互いに重なるように形成されており、図７に示すように、軸支持部３５ａと受部３５ｂとの間にロックレバー３１の軸部３１ａを挿入することにより弾性変形しながらロックレバー３１を受容することから、軸支持部３５ａと受部３５ｂとの間にロックレバー３１の軸部３１ａを挟んだ状態とすることができる。
【００２９】
以上のように構成された自動販売機において、ロックレバーと支持部材３５は、ロックレバー３１の軸部３１ａを軸支持部３５ａと受部３５ｂとの間に挿入して、軸支持部３５ａと受部３５ｂとの間にロックレバー３１の軸部３１ａを挟んだ状態とすることにより、一部材として取り扱うことができる。
【００３０】
このように、本実施形態の自動販売機によれば、ロック機構３０を、軸部３１ａの一端側に操作部３１ｂを有し、他端側に係合部３１ｃを有するロックレバー３１と、ロックレバー３１の軸部３１ａを回転自在に下部側内扉１６に支持するための軸支持部３５ａとロックレバー３１と下部側内扉１６との間に位置する受部３５ｂとを有し、軸支持部３５ａ及び受部３５ｂが変形可能な部材によって一体に形成された支持部材３５と、自動販売機本体１０に設けられ、ロックレバー３１の係合部３１ｃが係合可能な係止孔３３とから構成したので、ロックレバー３１の軸部３１ａを軸支持部３５ａと受部３５ｄとの間に挟んだ状態とすることにより、ロックレバー３１、軸支持部３５ａ及び受部３５ｂを一部材として取り扱うことができ、組み付け工数を低減することにより製造コストの低減を図ることが可能となる。
【図面の簡単な説明】
【００３１】
【図１】本発明の一実施形態を示す外扉、上部側内扉及び下部側内扉を開放した状態の自動販売機の全体斜視図
【図２】ロック機構を示す自動販売機の要部斜視図
【図３】ロックレバーと支持部材を組み付ける方法を示す斜視図
【図４】ロックレバーと支持部材を組み付ける方法を示す斜視図
【図５】下部側内扉に一体に組み付けられたロックレバーと支持部材を取り付ける方法を示す斜視図
【図６】本発明の他の実施形態を示すロックレバー及び支持部材の斜視図
【図７】ロックレバーと支持部材を組み付ける方法を示す斜視図
【符号の説明】
【００３２】
１１…商品収納庫、１６…下部側内扉、３０…ロック機構、３１…ロックレバー、３１ａ…軸部、３１ｂ…操作部、３１ｃ…係合部、３２…支持部材、３２ａ…軸支持部、３２ｂ…受部、３２ｄ…折り曲げ部、３３…係止孔、３５…支持部材、３５ａ…軸支持部、３５ｂ…受部。
【図１】
2010073106.tif 000003
【図２】
2010073106.tif 000004
【図３】
2010073106.tif 000005
【図４】
2010073106.tif 000006
【図５】
2010073106.tif 000007
【図６】
2010073106.tif 000008
【図７】
2010073106.tif 000009